(57)【要約】【課題】噴霧ノズルにおいて、風の影響を受けることによる液体の細かな粒子の飛散を抑制することにある。【解決手段】カバー１は、カバー本体１１の外面からカバー本体１１外側へと立ち上がるブレード１３を設け、このブレード１３は、末広がり部１５の長円状の断面形の長軸ＣＬに沿って、取付部１７を挟んで設けている。この構成により、風がカバー本体１１の長円状断面の長手方向と交差する方向に当たるような場合、気流は、カバー本体１１を越える際に、カバー本体１１の外面からブレード１３及びブレード１３の複数のリブ２５に沿って流れ、ブレード１３の外縁を越えて、カバー本体１１及びブレード１３の風下側に流れる。この際、カバー本体１１及びブレード１３の風下側では、気流が乱れて渦状をなす。この渦状をなした気流によって、混合流体の細かな粒子がカバー本体１１及びブレード１３側に引き戻され、カバー本体１１及びブレード１３の風下側の近傍に留まらせる。【選択図】図１
2019130519.tif 000002
【特許請求の範囲】
【請求項１】
液体を霧状に噴霧する噴霧ノズルのカバーであって、
少なくとも前記噴霧ノズルの噴射口の周囲を覆う筒状のカバー本体と、該カバー本体の外面から該カバー本体外側へと立ち上がるブレードとを備え、
前記カバー本体は、前記噴霧ノズルが固定される取付部を備える基端から、開口が形成された先端に向けて、長円状断面を維持しつつ、少なくとも前記長円状断面の長手方向に拡径する末広がり部を有し、
前記ブレードは、前記末広がり部の長円状の断面形の長軸に沿って、前記取付部を挟んで一対設けられていることを特徴とする噴霧ノズルのカバー。
【請求項２】
前記ブレードの外縁は、前記カバー本体の先端から基端に向けて、前記末広がり部よりも急傾斜をなして、前記カバー本体外側へと立ち上がることを特徴とする請求項１に記載の噴霧ノズルのカバー。
【請求項３】
前記末広がり部は、前記取付部に固定される前記噴霧ノズルから噴霧される液体の噴霧パターンに対応した末広がり形状をなしていることを特徴とする請求項１又は２に記載の噴霧ノズルのカバー。
【請求項４】
前記噴霧ノズルが、基端から先端に延びる流路が形成されたノズルホルダと、該ノズルホルダの先端側に配置され、液体を噴射するスリットが形成された先噴板と、前記ノズルホルダの先端に前記先噴板を保持するノズルキャップと、前記先噴板と前記ノズルホルダとの間に配置され、前記流路から液体を受け、前記先噴板の前記スリットへと案内する複数の案内流路が形成された整流中子と、前記ノズルホルダの基端側に配置され、液体を前記ノズルホルダの前記流路に供給するピンホールが形成されたオリフィス板と、該オリフィス板よりも前記ノズルホルダの基端側に配置され、液体が流れる流路が形成されたオリフィス中子とを備え、
前記先噴板には、下流側に向けて筋状に突出する筋状絞り部が形成され、該筋状絞り部を横切る態様で前記スリットが形成されており、
前記整流中子には、前記先噴板の前記スリットに向けて先端幅が縮小する態様で整流突起部が形成され、かつ、該整流突起部を構成する壁面が前記複数の案内流路を構成する壁面の下流側に配置され、
前記オリフィス板には、下流側へ向けてドーム状に突出するドーム状絞り部が形成され、該ドーム状絞り部の頂部に前記ピンホールが形成されている噴霧ノズルであることを特徴とする請求項１乃至３のいずれか１項に記載の噴霧ノズルのカバー。
【請求項５】
前記ノズルホルダの前記流路は、下流側で分岐しており、分岐した各々の前記流路の下流側に前記先噴板と、前記ノズルキャップと、前記整流中子とが配置されていることを特徴とする請求項４に記載の噴霧ノズルのカバー。
【請求項６】
前記末広がり部には、前記ブレードを着脱可能に保持する保持部を備えることを特徴とする請求項１乃至５のいずれか１項に記載の噴霧ノズルのカバー。
【請求項７】
前記カバー本体は、透明であることを特徴とする請求項１乃至６のいずれか１項に記載の噴霧ノズルのカバー。
【発明の詳細な説明】
【技術分野】
【０００１】
本発明は、液体を霧状に噴射する噴霧ノズルのカバーに関するものである。
【背景技術】
【０００２】
従来から、液体を霧状に散布する際、液体を霧状に噴射する噴霧ノズルにカバーを装着して、噴霧作業が行われている。例えば、特許文献１には、畝間の雑草を除草するために、除草剤を噴霧する噴霧ノズルを覆うようにして、カバーとしてのフード部が設けらたものが開示されている。このフード部は、噴霧ノズルの噴射口から霧状に噴射された除草剤の飛散を防止するものである。
【先行技術文献】
【特許文献】
【０００３】
【特許文献１】特許第５０３７９６７号
【発明の概要】
【発明が解決しようとする課題】
【０００４】
しかしながら、特許文献１に記載された噴霧ノズルを覆うフード部では、噴霧ノズルから噴霧された除草剤の細かな粒子がフード部から外部に噴射された際、風の影響によって飛散して、畝に植えられた作物にも付着していまうという問題がある。
【０００５】
本発明は、上記課題に鑑みてなされたものであり、噴霧ノズルにおいて、風の影響を受けることによる液体の細かな粒子の飛散を抑制することにある。
【課題を解決するための手段】
【０００６】
（発明の態様）
以下の発明の態様は、本発明の態様を例示するものであり、本発明の多様な構成要素の理解を容易にするために、項分けして説明するものである。以下の各項は、本発明の技術的範囲を限定するものではなく、本発明を実施する最良の形態を参酌しつつ、各項の構成要素の一部を置換し、削除し、又は、さらに他の構成要素を付加した態様についても、本発明の一態様になり得るものである。
【０００７】
（１）液体を霧状に噴霧する噴霧ノズルのカバーであって、少なくとも前記噴霧ノズルの噴射口の周囲を覆う筒状のカバー本体と、該カバー本体の外面から該カバー本体外側へと立ち上がるブレードとを備え、前記カバー本体は、前記噴霧ノズルが固定される取付部を備える基端から、開口が形成された先端に向けて、長円状断面を維持しつつ、少なくとも前記長円状断面の長手方向に拡径する末広がり部を有し、前記ブレードは、前記末広がり部の長円状の断面形の長軸に沿って、前記取付部を挟んで一対設けられている噴霧ノズルのカバー（請求項１）。
【０００８】
本項に係る噴霧ノズルのカバーにおいて、少なくとも噴霧ノズルの噴射口の周囲を覆う筒状のカバー本体を備えている。この構成により、筒状のカバー本体によって、噴霧ノズルの噴射口が覆われるので、液体が噴霧ノズルの噴霧口から噴霧された後、噴霧口近傍の範囲では風の影響を受けずに、液体がカバー本体の外部へと噴射されるものとなる。又、このカバー本体は、噴霧ノズルが固定される取付部を備える基端から、開口が形成された先端に向けて、長円状断面を維持しつつ、少なくとも長円状断面の長手方向に拡径する末広がり部を有することで、当該形状のカバーの内部空間において、上記作用を発揮するものとなる。
【０００９】
又、本項に係る噴霧ノズルのカバーにおいて、カバー本体の外面からカバー本体外側へと立ち上がるブレードを備え、このブレードは、末広がり部の長円状の断面形の長軸に沿って、取付部を挟んで一対設けられている。この構成により、風がカバー本体の長円状断面の長手方向と交差する方向に当たるような場合、気流は、カバー本体の末広がり部を越える際に、カバー本体の外面からブレードに沿って流れ、ブレードの外縁を越えて、カバー本体及びブレードの風下側（すなわち、風を受ける面（風上側）に対して反対側の面）に流れる。この際、カバー本体及びブレードの風下側では、気流が乱れて渦状をなす。この渦状をなした気流によって、液体の細かな粒子がカバー本体及びブレード側に引き戻され、液体の細かな粒子をカバー本体及びブレードの風下側の近傍に留まらせるものとなる。
【００１０】
（２）上記（１）項において、前記ブレードの外縁は、前記カバー本体の先端から基端に向けて、前記末広がり部よりも急傾斜をなして、前記カバー本体外側へと立ち上がる噴霧ノズルのカバー（請求項２）。
【００１１】
本項に係る噴霧ノズルのカバーにおいて、ブレードの外縁が、カバー本体の先端から基端に向けて、末広がり部よりも急傾斜をなして、カバー本体外側へと立ち上がるように形成することにより、カバー本体の基端側では風を受ける面積が増える。その結果、ブレードの面積に応じて、カバー本体及びブレードの風下側で生じる渦状の気流の領域が広くなり、液体の細かな粒子をカバー本体及びブレード側の後方に引き戻す作用が生じる範囲が広がるものとなる。
【００１２】
（３）上記（１）又は（２）項において、前記末広がり部は、前記取付部に固定される前記噴霧ノズルから噴霧される液体の噴霧パターンに対応した末広がり形状をなしている噴霧ノズルのカバー（請求項３）。
【００１３】
本項に係る噴霧ノズルのカバーにおいて、末広がり部が、噴霧ノズルから噴霧される液体の噴霧パターンに対応した末広がり形状をなすことにより、噴霧ノズルから所定の噴霧パターンで噴霧された液体がカバー本体の内面に接触することを防ぎ、液体を無駄無く安定的に噴霧するものとなる。
【００１４】
（４）上記（１）乃至（３）のいずれか１項において、前記噴霧ノズルが、基端から先端に延びる流路が形成されたノズルホルダと、該ノズルホルダの先端側に配置され、液体を噴射するスリットが形成された先噴板と、前記ノズルホルダの先端に前記先噴板を保持するノズルキャップと、前記先噴板と前記ノズルホルダとの間に配置され、前記流路から液体を受け、前記先噴板の前記スリットへと案内する複数の案内流路が形成された整流中子と、前記ノズルホルダの基端側に配置され、液体を前記ノズルホルダの前記流路に供給するピンホールが形成されたオリフィス板と、該オリフィス板よりも前記ノズルホルダの基端側に配置され、液体が流れる流路が形成されたオリフィス中子とを備え、前記先噴板には、下流側に向けて筋状に突出する筋状絞り部が形成され、該筋状絞り部を横切る態様で前記スリットが形成されており、前記整流中子には、前記先噴板の前記スリットに向けて先端幅が縮小する態様で整流突起部が形成され、かつ、該整流突起部を構成する壁面が前記複数の案内流路を構成する壁面の下流側に配置され、前記オリフィス板には、下流側へ向けてドーム状に突出するドーム状絞り部が形成され、該ドーム状絞り部の頂部に前記ピンホールが形成されている噴霧ノズルのカバー（請求項４）。
【００１５】
本項に係る噴霧ノズルのカバーにおいて、上述の噴霧ノズルの構成により、液体が、オリフィス中子の流路及びオリフィス板のピンホールを通って、ノズルホルダの流路に供給される。そして、ノズルホルダの流路から流れる液体は、整流中子の複数の案内流路を介して、先噴板のスリットに向かって案内されて、スリットから噴霧されるものとなる。この噴霧ノズルにおいて、先噴板に下流側に向けて筋状に突出する筋状絞り部が形成され、この筋状絞り部にスリットが形成されていることで、整流中子の案内流路を流れる液体は、筋状絞り部に集まり、筋状絞り部のスリットを介して、噴霧ノズルの外部へと噴霧される。しかも、整流中子には、筋状絞り部に形成されたスリットに向けて先端幅が縮小する整流突起部が形成されていることから、整流中子の案内流路を通過してスリットに向かう液体は、整流突起部を構成する壁面に沿って案内され、案内流路を構成する壁面の下流側に配置された筋状絞り部に向けて円滑に流れる。そして、液体は、筋状絞り部と整流突起部との間の間隙を流れて、筋状絞り部に形成されたスリットから噴霧される。その際、スリットから噴霧された液体は、風の影響を受け易い微細な粒子の割合や、拡散し難い粒子径の大きな粒子の割合を少なくし、噴霧に適した粒子で噴霧ノズルの外部へと噴霧するものとなる。更に、上述の噴霧ノズルの構成により、オリフィス板への液体の供給は、オリフィス板よりも流路の上流側に位置するオリフィス中子の流路を介してオリフィス板へと供給され、オリフィス板に形成された下流側へ向けてドーム状に突出するドーム状絞り部のドームの頂に液体が集まり、ドーム状絞り部の頂部に形成されたピンホールからノズルホルダの流路に向かって円滑に流れるものとなる。
【００１６】
（５）上記（４）項において、前記ノズルホルダの前記流路は、下流側で分岐しており、分岐した各々の前記流路の下流側に前記先噴板と、前記ノズルキャップと、前記整流中子とが配置されている噴霧ノズルのカバー（請求項５）。
【００１７】
本項に係る噴霧ノズルのカバーにおいて、ノズルホルダの流路が下流側で分岐することで、分岐した各方向において上記（４）項の噴霧ノズルのカバーで得られるものと同等の作用を得て、混合流体を互いに異なる方向に同時に散布するものとなる。
【００１８】
（６）上記（４）又は（５）項において、前記オリフィス中子の前記流路は、前記ノズルホルダの前記流路の延長方向軸に対して傾斜している噴霧ノズルのカバー。
【００１９】
本項に係る噴霧ノズルのカバーにおいて、上述のオリフィス中子の構成により、オリフィス中子の流路がノズルホルダの流路の延長方向軸に対して傾斜するように形成されていることで、流路を通った液体は、流路通過前の流れ状態の如何にかかわらず、流路によって流れ方向が矯正され、オリフィス中子の下流側で旋回流となる。この旋回流は、オリフィス板のドーム状絞り部のドーム内においても維持され、オリフィス板のピンホールからノズルホルダの流路へと流れる液体の流れが整流されることで、流路における液体と空気との混合状態を安定させるものとなる。
【００２０】
（７）上記（１）乃至（６）のいずれか１項において、前記末広がり部には、前記ブレードを着脱可能に保持する保持部を備える噴霧ノズルのカバー（請求項５）。
【００２１】
本項に係る噴霧ノズルのカバーにおいて、末広がり部には、ブレードを着脱可能に保持する保持部を備えることにより、必要に応じて、破損、形状変更等に対応して、ブレードの着脱や交換を可能とするものとなる。
【００２２】
（８）上記（１）乃至（７）のいずれか１項において、前記カバー本体は、透明である噴霧ノズルのカバー（請求項６）。
【００２３】
本項に係る噴霧ノズルのカバーにおいて、カバー本体は、透明であることにより、作業者がカバー本体の内部を視認し、噴霧された液体の噴霧パターンを確認することができ、噴霧圧力に応じて、作業者が適宜噴霧圧力を調整するよう促すものとなる。
【発明の効果】
【００２４】
本発明によれば、噴霧ノズルにおいて、風の影響を受けることによる液体の細かな粒子の飛散を抑制することができる。
【図面の簡単な説明】
【００２５】
【図１】本発明の一実施形態に係る噴霧ノズルのカバーの斜視図である。
【図２】図１に示す噴霧ノズル及び噴霧ノズルのカバーの断面図である。
【図３】図１に示す噴霧ノズルのカバーの分解図である。
【図４】図２に示すカバーの末広がり部の長円状断面の短手方向に沿う噴霧ノズルの断面図である。
【図５】図４に示す噴霧ノズルの部分断面図であり、（ａ）は、Ａ−Ａ線に沿う断面図であり、（ｂ）は、Ｂ−Ｂ線に沿う断面図である。
【図６】図２に示す噴霧ノズルから噴霧される液体の噴霧パターンを模式的に示した図であり、（ａ）は、適正圧力で液体を噴霧した噴霧パターンを示す図であり、（ｂ）は、高圧力で液体を噴霧した噴霧パターンを示す図である。
【図７】図１に示す噴霧ノズルのカバーに風速２ｍの風が当たった状態における、気流及び液体粒子の散布状態を示した図であり、（ａ）は、気流を示す図であり、（ｂ）は、液体粒子の散布状態を示す図である。
【図８】従来の噴霧ノズルのカバーに風速２ｍの風が当たった状態における、気流及び液体粒子の散布状態を示した図であり、（ａ）は、気流を示す図であり、（ｂ）は、液体粒子の散布状態を示す図である。
【発明を実施するための形態】
【００２６】
本発明の一実施形態に係る噴霧ノズルのカバーの構成を図１〜図５に基づいて詳細に説明する。
なお、以下の説明おいて、便宜上、図１〜図３及び図６におけるカバー１の下側端を先端１１ａ（下流側）と定義するとともに上側端を基端１１ｂ（上流側）と定義する。同様に、図４及び図５における下側端を基端（上流側）と定義するとともに上側端を先端（下流側）と定義する。更に、図７及び図８における右側が風上側であり、左側が風下側である。
又、以下の説明では、空気と薬液（液体）との混合流体を噴霧ノズル３から噴霧する場合について説明する。
【００２７】
図１〜図３に示すように、カバー１は、噴霧ノズル３を覆い、この噴霧ノズル３から噴霧された混合流体中の小さな粒子の、風の影響による飛散を防止するものである。このカバー１は、カバー本体１１と、ブレード１３とを備えている。又、カバー１に対し、噴霧ノズル３が、後述するプレート３１及び連結部材３３を介して、締結具４３によって連結されている。
【００２８】
カバー本体１１は、透明材料により構成され、少なくとも噴霧ノズル３の先噴板５９（噴射口）の周囲を覆うように概略筒状をなし、末広がり部１５と、取付部１７と、保持部１９と、補強リブ２３とを備え、先端が開口２１となっている。末広がり部１５は、基端１１ｂから先端１１ａに向けて、長円状断面を維持しつつ、少なくとも長円状断面の長手方向に拡径している（図２参照）。具体的には、末広がり部１５は、取付部１７に固定される噴霧ノズル３から噴霧される混合流体の噴霧パターン（後述参照）に対応した末広がり形状をなしている。又、末広がり部１５は、平面視において、略円状の基端１１ｂ側から先端１１ａ側へと近づくほど、長円状の長手方向の長さが増大するようにして、長円状に形状が遷移する態様で末広がり部１５の長円状断面が長手方向に拡径されている。この長円状は、図示の例では、長方形の長手方向端部を半円にしたような形状となっているが、適宜楕円形もしくはそれに近い形状へと変更してもよい。取付部１７は、先端１１ａから基端１１ｂに向かって縮径された略円筒状をなしており、内部に噴霧ノズル３が取付けられている。又、取付部１７の基端側の端面は、半径方向外側から内側に向かって登り傾斜するように縮径され、供給管６７を挿通する開口１７ａ及び締結具４３を挿通する複数の挿通孔１７ｂ，１７ｂ（本実施形態では、２つ）が形成されている（図３参照）。保持部１９は、末広がり部１５の長円状断面の長手方向に沿って延びる一対のリブであり、カバー本体１１の基端から先端に至るようにして設けられている。保持部１９を構成する一対のリブは、ブレード１３を挟んで保持するに適した所定の間隔をおいて設けている。補強リブ２３は、末広がり部１５の短手方向の外周面の周方向に延びるように設けられ（本実施形態では、末広がり部１５の長手方向両側面に１つづつの合計２つ）、末広がり部１５を補強するものである。
【００２９】
ブレード１３は、透明材料により構成され、末広がり部１５の長円状の断面形の長軸ＣＬ（便宜上、先端１１ａを通る長軸を図１及び図２に示す。）に沿って、取付部１７を挟んで、保持部１９に着脱可能に一対設けられている。このブレード１３の外縁１３ｏｅは、カバー本体１１の先端１１ａから基端１１ｂに向けて、末広がり部１５よりも急傾斜をなしている（図１及び図２参照）。又、ブレード１３の両面には、複数のリブ２５（本実施形態では、４つ）が形成されている。この複数のリブ２５は、図２及び図３に示すように、外縁１３ｏｅから内縁１３ｉｅ（図３参照）近傍まで延びるように形成されている。
【００３０】
ここで、プレート３１（図２及び図３参照）は、カバー本体１１の取付部１７の基端側の内端面に倣った形状をなし、供給管６７を挿入する開口３１ａ及び締結具４３を挿通する挿通孔３１ｂ（本実施形態では、２つ）が形成されている（図３参照）。連結部材３３は、カバー１と噴霧ノズル３とを連結するものであり、流路３５を備え、フィルタ３７と、リング部材３９と、Ｏリング４１とが装着されている。流路３５は、ノズルホルダ５１の第１ノズルホルダ５２の流路７７（図４参照）及び供給管６７の流路６７ａ（図１及び図３参照）と連通されている。フィルタ３７は、薬液内の固形物をろ過するものであり、連結部材３３の下流側に設けられている。リング部材３９は、供給管６７から供給されて薬液の圧力によって、フィルタ３７が流路３５内から脱落を防止するためのものであり、フィルタ３７よりも連結部材３３の下流側に設けられている。Ｏリング４１は、供給管６７と連結部材３３との間の液漏れを防ぐものであり、連結部材３３の上流側に設けられている。
【００３１】
次に、噴霧ノズル３の構成を図３〜図５に基づいて詳細に説明する。
図３に示すように、噴霧ノズル３は、ノズルホルダ５１と、整流中子５３と、オリフィス板５５と、オリフィス中子５７と、先噴板５９と、ノズルキャップ６１と、Ｏリング６３と、連結具６５とを備えている。この噴霧ノズル３は、プレート３１及び連結部材３３を介して、締結具４３によって、カバー１に取付けられている。
【００３２】
ノズルホルダ５１は、基端側が連結部材３３を介して供給管６７に連結されており、第１ノズルホルダ５２と、第２ノズルホルダ５４とから構成されている。この第１ノズルホルダ５２は、流路７７と、空気の導入路７９と、大径部８３と、収納部８４と、を備えている。又、第１ノズルホルダ５２の先端側の外周部には、円錐台状をなして、基端側に向かうにしたがい径方向外側に突出する第１環状係止部８６が形成されている。第１ノズルホルダ５２の基端側の外周部には、その外周部から径方向外側に広がるフランジ部７３が形成されている。この第１ノズルホルダ５２は、第２ノズルホルダ５４にいわゆるムリバメ、すなわち、第１ノズルホルダ５２の先端側を第２ノズルホルダ５４の接続部９０（後述参照）の内周部に圧入した際、第１ノズルホルダ５２の第１環状係止部８６が第２ノズルホルダ５４の第２環状係止部８８（後述参照）によって弾性変形し、第１ノズルホルダ５２が所定の位置まで圧入されることで、第１環状係止部８６の形状が弾性復帰して、第１環状係止部８６と第２環状係止部８８とが係合し、第２ノズルホルダ５４に連結される。
【００３３】
第１ノズルホルダ５２の流路７７は、収納部８４に連通しており、ノズルホルダ５１の先端側に向かって軸方向に延びている。導入路７９は、第１ノズルホルダ５２の外壁部から流路７７と収納部８４との連通位置に向かって開口するように、複数形成されている（本実施形態では２つ）。この導入路７９は、オリフィス板５５のピンホール９７（すなわち、オリフィス板５５の頂、後述参照）より下流側に位置するものである。大径部８３は、第１ノズルホルダ５２の基端側に設けられ、オリフィス板５５及びオリフィス中子５７が収納されている。収納部８４は、大径部８３より第１ノズルホルダ５２の先端側に設けられ、流路７７と連通し、オリフィス板５５のドーム状絞り部９５（後述参照）が収納されている。
【００３４】
第２ノズルホルダ５４は、第１ノズルホルダ５２の先端側の外周部に接続される接続部９０と、この接続部９０から二股に分岐して形成された第１分岐流路９４及び第２分岐流路９６を有する分岐部９２と、を備えている。第２ノズルホルダ５４の接続部９０の内周部には、第１環状係止部８６のムリバメ時に第１環状係止部８６の弾性変形を促すと共に、ムリバメ完了時に、第１環状係止部８６に係合するための、径方向内側に帯状に一定径で突出する第２環状係止部８８（図４及び図５（ｂ）参照）が形成されている。又、接続部９０の内周部には、第１環状係止部８６を収容するための、第１環状係止部８６と相補的な形状を有するテーパ部９８（図５（ｂ）参照）が形成されている。
【００３５】
分岐部９２の第１分岐流路９４及び第２分岐流路９６は、所定の角度で分岐し、それぞれが第１ノズルホルダ５２の流路７７に連通されている。分岐部９２は、その先端側の外周部にノズルキャップ６１の雌ねじ部１１１と螺合する雄ねじ部６９が形成されている。又、分岐部９２は、整流中子５３の一対の第２の位置決め突起部９３，９３（後述参照）を挿入する位置決め穴８１（本実施形態では２つ）が形成されている。この位置決め穴８１は、一対の第２の位置決め突起部９３，９３を挿入可能な深さ、かつ、嵌合可能な直径で形成されている。分岐部９２の先端側には、整流中子５３、Ｏリング６３、先噴板５９及びノズルキャップ６１が装着されている。
【００３６】
整流中子５３は、略平板状をなしており、第２ノズルホルダ５４の分岐部９２の先端側の端面上に配置されている（図４及び図５（ａ）参照）。この整流中子５３は、案内流路８５（図５（ａ）参照）を備え、下流側の表面に整流突起部８７及び一対の第１の位置決め突起部８９，８９（図５（ａ）参照）が形成され、上流側の表面に隆起部９１及び一対の第２の位置決め突起部９３，９３（図４参照）が形成されている。案内流路８５は、第１分岐流路９４及び第２分岐流路９６を流れる混合流体を先噴板５９のスリット１０７（後述参照）に案内するものであり、複数形成されている（本実施形態では２つ）。整流突起部８７は、正面視山形状、すなわち、先噴板５９のスリット１０７に向けて先端幅が縮小する突起部である（図５（ａ）参照）。この整流突起部８７は、上流側の表面の略中央に配置され、整流突起部８７の壁面が複数の案内流路８５，８５を構成する壁面の下流側に配置されている。一対の第１の位置決め突起部８９，８９は、先噴板５９の筋状絞り部１０５（後述参照）に向けて延び、平面視で案内流路８５，８５及び整流突起部８７と直列になるように配置されている（図４及び図５（ａ）参照）。隆起部９１は、第１分岐流路９４及び第２分岐流路９６に対向するように、略中央から第１分岐流路９４及び第２分岐流路９６の軸方向に向かって延びており、案内流路８５，８５との間に配置されている（図５（ａ）参照）。一対の第２の位置決め突起部９３，９３は、略円柱状であり、複数形成され（本実施形態では２つ）、整流中子５３の上流側の表面から第１分岐流路９４及び第２分岐流路９６の軸方向に沿って延びている。
【００３７】
オリフィス板５５は、ドーム状をなしており、第１ノズルホルダ５２の導入路７９よりも上流に位置し、第１ノズルホルダ５２の大径部８３に設けられている（図４参照）。このオリフィス板５５は、ドーム状絞り部９５を備え、このドーム状絞り部９５は、収納部８４に収納されている。このドーム状絞り部９５の頂部には、上流側から薬液を受けて収納部８４内に薬液を供給するピンホール９７が形成されている。
【００３８】
オリフィス中子５７は、略円板状をなしており、オリフィス板５５よりも上流に位置し、第１ノズルホルダ５２のの大径部８３に設けられている（図５（ｂ）参照）。このオリフィス中子５７は、外周面に薬液流路９９（流路）及び第１突起部１０１（図４参照）が形成され、上流側の表面に第２突起部１０３が形成されている。薬液流路９９は、第１ノズルホルダ５２の流路７７の延長方向軸に対して傾斜するよう形成され（図４の破線参照）、周方向に１８０°間隔を置いて設けられている。第１突起部１０１は、外周の一部から径方向外側に向けて延びており（図４参照）、オリフィス中子５７を第１ノズルホルダ５２の大径部８３に装着した後、オリフィス中子５７が大径部８３から脱落を防止するためのものである。第２突起部１０３には、オリフィス中子５７を取外す際に、使用者が指を引掛けるための引掛け部１０３ａ（図４及び図５（ｂ）参照）が形成されている。
【００３９】
先噴板５９は、略円板であり、第２ノズルホルダ５４の分岐部９２の先端側に配置されている。この先噴板５９は、筋状絞り部１０５と、スリット１０７と、を備えている。筋状絞り部１０５は、下流側に向けて筋状に突出し、整流中子５３の一対の第１の位置決め突起部８９，８９と係合する係合部１０５ａが形成されている。スリット１０７は、筋状絞り部１０５の長手方向の略中央において、筋状絞り部１０５を横切るようにして、筋状絞り部１０５の延長方向と直交する方向に少なくとも筋状絞り部１０５の頂点部分を分断する態様で形成されている。
【００４０】
ノズルキャップ６１は、略円筒状をなしており、第２ノズルホルダ５４の分岐部９２の先端に先噴板５９を保持するものである。このノズルキャップ６１には、第１分岐流路９４及び第２分岐流路９６を流れる混合流体の圧力によって、先噴板５９がノズルキャップ６１から抜けないように、先端側の内周部から径方向内側に延びる環状の突起部１０９が形成されている（図４及び図５（ａ）参照）。又、ノズルキャップ６１の内周部には、第２ノズルホルダ５４の雄ねじ部６９に螺合する雌ねじ部１１１が形成されている（図３及び図４参照）。又、第２ノズルホルダ５４の先端側の端面と先噴板５９との間に、かつ、整流中子５３の外周部を取り囲むようにしてＯリング６３が配置され、このＯリング６３により、第２ノズルホルダ５４と先噴板５９との間の液漏れを防いでいる。
【００４１】
連結具６５は、略円筒状をなしており、第１ノズルホルダ５２と連結部材３３とを連結させるものである。この連結具６５には、供給管６７を流れる薬液の圧力によって、第１ノズルホルダ５２が連結具６５から抜けることのないように、先端側の内周部から径方向内側に延びて、第１ノズルホルダ５２のフランジ部７３に当接する環状の突起部１１３が形成されている（図４参照）。又、連結具６５の内周部には、連結部材３３の雄ねじ部４５（図３参照）に螺合する雌ねじ部１１５が形成されている。
【００４２】
次に、本発明の一実施形態に係るカバー１を装着した噴霧ノズル３における混合流体の流れについて、以下に説明する。
まず、薬液タンク（図示せず）等から供給され、供給管６７を流れる薬液は、連結部材３３の流路３５及びフィルタ３７を通過した後、第１ノズルホルダ５２の大径部８３に向かって流込む（図５（ｂ）の矢印ａ参照）。続いて、薬液は、オリフィス中子５７の薬液流路９９を通過して、オリフィス板５５のドーム状絞り部９５内へと流れる（図４及び図５（ｂ）の矢印ｂ参照）。このとき、薬液は、薬液流路９９を通過することで、旋回流となって、ドーム状絞り部９５内に流込む（図４及び図５（ｂ）の矢印ｃ参照）。そして、薬液がオリフィス板５５のピンホール９７を通過し、第１ノズルホルダ５２の収納部８４内に流込む。この際、薬液は、流路７７と収納部８４との連通位置で、導入路７９から導入された空気と混同されながら、流路７７に流れて行く（図４及び図５（ｂ）の矢印ｄ参照）。しかも、ピンホール９７を通過した薬液は、旋回流を維持しながら収納部８４内に流込むため、導入路７９から収納部８４へと導入される空気の流れが安定し、噴霧ノズル３から噴霧される泡状粒子の粒子径やその噴霧パターンの安定化に寄与するものとなる。
【００４３】
そして、流路７７を流れる混合流体は、第２ノズルホルダ５４の分岐部９２の第１分岐流路９４及び第２分岐流路９６に、各々分岐して流入する（図４の矢印ｅ参照）。そして、第１分岐流路９４及び第２分岐流路９６を各々流れる混合流体は、整流中子５３の案内流路８５，８５を通過する。このとき、混合流体が整流中子５３の隆起部９１に衝突することで、混合流体の流れ方向が変化し、案内流路８５，８５へと導かれる（図５（ａ）の矢印ｆ参照）。そして、案内流路８５，８５を流れる混合流体は、整流突起部８７と先噴板５９の筋状絞り部１０５との間隙を通過し（図５（ａ）の矢印ｇ参照）、スリット１０７を介して二方向に噴霧される（図４及び図５（ａ）の矢印ｈ参照）。ここで、混合流体の噴霧圧力を適正圧に調整することで（図６（ａ）の破線参照）、先噴板５９のスリット１０７を介して噴霧された混合流体は、カバー本体１１の末広がり部１５の内面に接触せずに、混合流体がカバー１の開口２１から外部に噴霧される。
【００４４】
なお、上述のごとく噴霧ノズル３から混合流体を噴霧する際、混合流体の噴霧圧力が適正圧よりも高いとき（図６（ｂ）の破線参照）、先噴板５９のスリット１０７を介して噴霧された混合流体は、より広範囲に噴霧され、カバー本体１１の末広がり部１５の内面に一部が接触しながら、カバー１の開口２１から外部に噴霧される。この場合、作業者は、透明なカバー本体１１を介して、その内部における混合流体の噴霧パターンを確認することが可能となり、混合流体の噴霧圧力を適正圧へと調整することを促すこととなる。
【００４５】
上記構成を有する一実施形態の噴霧ノズル３のカバー１及び噴霧ノズル３によれば、次の作用効果を得ることが可能となる。
まず、噴霧ノズル３のカバー１において、筒状のカバー本体１１によって、噴霧ノズル３が覆われるので、混合流体が噴霧ノズル３の先噴板５９から噴霧された後、先噴板５９近傍の範囲では風の影響を受けずに、混合流体がカバー本体１１の外部へと噴射されることとなる。又、このカバー本体１１は、噴霧ノズル３が固定される取付部１７を備える基端１１ｂから、開口２１が形成された先端１１ａに向けて、長円状断面を維持しつつ、少なくとも長円状断面の長手方向に拡径する末広がり部１５を有することで、当該形状のカバー１の内部空間において、上記作用を発揮することが可能となる。
【００４６】
又、噴霧ノズル３のカバー１において、カバー本体１１の外面からカバー本体１１外側へと立ち上がるブレード１３を備え、このブレード１３は、末広がり部１５の長円状の断面形の長軸ＣＬに沿って、取付部１７を挟んで一対設けられているので、風がカバー本体１１の長円状断面の長手方向と交差する方向に当たるような場合、気流は、カバー本体１１の末広がり部１５を越える際に、カバー本体１１の外面からブレード１３及びブレード１３の複数のリブ２５に沿って流れ、ブレード１３の外縁１３ｏｅを越えて、カバー本体１１及びブレード１３の風下側に流れる。この際、カバー本体１１及びブレード１３の風下側では、気流が乱れて渦状をなす（図７（ａ）参照）。この渦状をなした気流によって、混合流体の細かな粒子がカバー本体１１及びブレード１３側に引き戻され、混合流体の細かな粒子をカバー本体１１及びブレード１３の風下側の近傍に留まらせることが可能となる。
【００４７】
更に、噴霧ノズル３のカバー１において、ブレード１３の外縁１３ｏｅが、カバー本体１１の先端から基端に向けて、末広がり部１５よりも急傾斜をなして、カバー本体１１外側へと立ち上がるように形成することにより、カバー本体１１の基端側では風を受ける面積が増える。その結果、ブレード１３の面積に応じて、カバー本体１１及びブレード１３の風下側で生じる渦状の気流の領域が広くなり、混合流体の細かな粒子をカバー本体１１及びブレード１３側の後方に引き戻す作用が生じる範囲を広げることが可能となる。
【００４８】
又、噴霧ノズル３のカバー１において、末広がり部１５が、噴霧ノズル３から噴霧される混合流体の噴霧パターンに対応した末広がり形状をなすことにより、噴霧ノズル３から所定の噴霧パターンで噴霧された混合流体がカバー本体１１の内面に接触することを防ぎ、混合流体を無駄無く安定的に噴霧することが可能となる。
【００４９】
又、噴霧ノズル３において、上述の噴霧ノズル３における混合流体の流れにより、先噴板５９のスリット１０７から噴霧された液体は、風の影響を受け易い微細な粒子の割合や、拡散し難い粒子径の大きな粒子の割合を少なくし、噴霧に適した粒子で噴霧ノズル３の外部へと噴霧することが可能となる。
【００５０】
又、噴霧ノズル３において、上述のオリフィス中子５７の構成により、オリフィス中子５７の薬液流路９９を通過する薬液が旋回流となるので、オリフィス板５５のピンホール９７から第１ノズルホルダ５２の流路７７へと流れる液体の流れが整流されて、流路７７と収納部８４との連通位置における薬液と空気との混合状態を安定させることが可能となる。
【００５１】
又、噴霧ノズル３のカバー１において、ブレード１３を着脱可能に保持する保持部１９を備えることにより、必要に応じて、破損、形状変更等に対応して、ブレード１３の着脱や交換が可能となる。
【００５２】
又、噴霧ノズル３のカバー１において、カバー本体１１は、透明であることにより、作業者がカバー本体１１の内部を視認し、噴霧された混合流体の噴霧パターンを確認することができ、噴霧圧力に応じて、作業者が適宜噴霧圧力を調整することを促すものとなる。
【００５３】
なお、一実施形態に係る噴霧ノズル３のカバー１において、カバー本体１１及びブレード１３は、透明であるが、カバー本体１１の内部を視認することができる範囲内で透明度を調整してもよい。
【００５４】
又、噴霧ノズル３のカバー１において、作業者が散布する範囲を変更したいときに、又は、風向きが変わったときに、カバー１を回転させることで、連結部材３３によって連結された噴霧ノズル３も回転され、カバー本体１１及びブレード１３の位置角度を適宜変更することができる構造となっている。
【００５５】
又、一実施形態に係る噴霧ノズル３のカバー１において、ブレード１３の外縁１３ｏｅは、カバー本体１１の先端１１ａから基端１１ｂに向けて、末広がり部１５よりも急傾斜をなしているが、この傾斜角度を適宜変更してもよく、より複雑な他の形状に形成してもよい。
【００５６】
又、一実施形態に係る噴霧ノズル３のカバー１において、ブレード１３の両面には、４つのリブ２５が形成されているが、リブ２５の数を適宜変更してもよく、又、リブ２５を備えないブレード（すなわち、板状のブレード）であってもよい。
【００５７】
又、一実施形態に係る噴霧ノズル３のカバー１において、ブレード１３は、末広がり部１５の長円状の断面形の長軸ＣＬに沿って、取付部１７を挟んで、保持部１９に着脱可能に一対設けられているが、ブレード１３の枚数は、適宜変更してもよい。又、ブレード１３は、末広がり部１５に対して垂直に設けられているが、例えばブレード１３が風上側又は風下側に傾くように設けてもよく、この傾き角度を適宜変更してもよい。
【００５８】
更に、図示の例では、カバー１が装着される噴霧ノズル３は、混合流体を二方向に噴霧する噴霧ノズル３であるが、噴霧ノズルの噴霧口を一頭口とし、混合流体を一方向に噴霧するものであってもよい。
【００５９】
以下、本発明の一実施形態に係るカバー１が装着された噴霧ノズル３による混合流体の粒子の散布状態を、実験例に基づき説明する。
なお、本実験例の条件として、カバー本体１１の長円状断面の長手方向と交差する方向から風速２ｍの風を当てることとする。又、混合流体の散布状態は、高速度カメラによって撮影することとし、気流の流跡線は、１秒当たり１０００枚の画像から構成する。
その結果、カバー本体１１及びブレード１３の風下側に発生した渦流によって（図７（ａ）参照）、カバー本体１１及びブレード１３の風下側に引き戻され（図７（ｂ）参照）、この風下側に混合流体の細かな粒子が留まることが確認された。このように、本発明の実施例によれば風の影響を受けることによる液体の細かな粒子の飛散を抑制することが明らかとなった。
【００６０】
一方、比較例として、従来のカバー１２１（具体的には、ブレード備えないカバー１２１）が装着された噴霧ノズル３による混合流体の粒子の散布状態を確認した。なお、比較例の条件は、上述の実験例と同様である。
その結果、カバー本体１１及びブレード１３の風下側では、層流となっているので（図８（ａ）参照）、混合流体の細かな粒子が気流に乗って、飛散されてしまうことが確認された（図８（ｂ）参照）。
【符号の説明】
【００６１】
１…カバー、３…噴霧ノズル、１１…カバー本体、１３…ブレード、１５…末広がり部、１７…取付部、２１…開口
【図１】
2019130519.tif 000003
【図２】
2019130519.tif 000004
【図３】
2019130519.tif 000005
【図４】
2019130519.tif 000006
【図５】
2019130519.tif 000007
【図６】
2019130519.tif 000008
【図７】
2019130519.tif 000009
【図８】
2019130519.tif 000010